(57)【要約】【課題】雨に濡れた傘から落下する滴を受け、傘の開け閉めに伴い、自動的に伸縮して、大型・小型になるようにした滴受けを設けた傘を提供する。【解決手段】傘の石突１９側の中棒１３先端部に上部容器１、石突１９側のスライド軸９先端部に下部容器２を設け、雨に濡れた傘から落下する滴を、この２個の容器からなる滴受け容器Ａで受けるようにしたものである。中棒１３の外周面には、開口する長孔１５が形成され、そこを台座１２と下部容器支え部材３がスライドする。中棒１３内には、スライド軸９とスプリング１６を備える。スライド軸９の一端部は下部容器支え部材３、他端部は台座１２と接続する。傘の開け閉めによって、下ロクロ１０と接触する台座１２が上下にスライドし、それに伴い下部容器２が上昇・下降して、滴受け容器Ａが、自動的に大型・小型になるようにしたことを特徴とする滴受けを設けた傘。【選択図】図１
2006075542.tif 000002
【特許請求の範囲】
【請求項１】
傘の石突（１９）側の中棒（１３）先端部に上部容器（１）、石突（１９）側のスライド軸（９）先端部に下部容器（２）を設け、雨に濡れた傘から落下する滴を、この２個の容器からなる滴受け容器（Ａ）で受け、滴受け容器（Ａ）が、自動的に大型・小型になるようにしたものであり、中棒（１３）の外周面には、突起（１７）と上ハジキ（１４）の間に開口する長孔（１５ａ）を形成し、その間を中棒（１３）内より外部に突出している台座（１２）がスライドし、また石突（１９）側の中棒（１３）先端部と中栓（１８）の間にも開口する長孔（１５ｂ）が形成され、その間を下部容器支え部材（３）がスライドするようにし、中棒（１３）内には、傘の開け閉めにより上下にスライドするスライド軸（９）、そして伸縮するスプリング（１６）を備えており、石突（１９）側のスライド軸（９）先端部は、下部容器支え部材（３）と接続して、スライド軸（９）の上昇・下降により、下部容器（２）を上昇・下降させ、スライド軸（９）他端部は、台座（１２）と接続し、下ロクロ（１０）の昇降による傘の開け閉めによって、下ロクロ（１０）と接触する台座（１２）が上下にスライドし、それに伴いスライド軸（９）が上昇・下降して、スライド軸（９）と接続した下部容器支え部材（３）を介して、下部容器（２）も上昇・下降し、滴受け容器（Ａ）が、自動的に大型・小型になるようにしたことを特徴とする滴受けを設けた傘。
【発明の詳細な説明】
【技術分野】
【０００１】  本発明は、雨に濡れた傘から落下する滴を受け、傘の開け閉めに伴い、自動的に伸縮して、大型・小型になるようにした滴受けを設けた傘に関するものである。
【背景技術】
【０００２】  従来、雨に濡れた傘を車内や屋内に持ち込んだ場合、傘布に付着した滴が落下し、床を汚したり、他人の服や商品を汚損したりした。それを防止するため、大型店舗では、傘の脱水装置やビニール袋等を用意してきた。また、傘布に付着した滴を捕集する滴受けについて多数の技術が提案されている。例えば、傘の先端に単に容器を付けただけでなく、雨水流入・流出用孔ならびに空気抜き孔を設けた提案（特許文献１参照）。容器の開閉弁を自動化した提案（特許文献２参照）。さらに容器を上部容器と下部容器の２つにし、多様な傘の先端部の長さに対応した提案（特許文献３参照）が知られている。
【特許文献１】特開平４−１７０９０１号公報
【特許文献２】特開２００３−５２４３２号公報
【特許文献３】実開平７−９１２４号公報
【発明の開示】
【発明が解決しようとする課題】
【０００３】  しかし、脱水装置やビニール袋等が、あらゆる場所に設置されているとは限らない。したがって、傘布に付着した滴の処理には、ビニール袋等を携帯する必要があり、面倒であった。また使用後のビニール袋は、濡れているために後始末にも不便であった。さらに従来の滴受けでは、取り付け位置が傘の先端であり、開傘時の安定性を考慮して小型となり、傘布に付着した滴を充分捕集できず、滴が容器から溢れてしまう場合があり、滴受けを取り付ける目的が達成されていない。【０００４】  そこで本発明は、雨に濡れた傘から落下する滴を充分捕集して、従来の難点を伴うビニール袋等を不要とし、手を濡らすことなく傘の開け閉めに伴い、自動的に伸縮し大型・小型になる滴受けを設けた傘を提供することを課題とする。
【課題を解決するための手段】
【０００５】  前記課題を達成するために本発明は、次の具体的手段を採っている。即ち、傘の石突側の中棒先端部に上部容器、石突側のスライド軸先端部に下部容器を設け、雨に濡れた傘から落下する滴を、この２個の容器からなる滴受け容器で受け、この滴受け容器が、自動的に大型・小型になるようにしたものである。中棒の外周面には、突起と上ハジキの間に開口する長孔を形成し、その間を中棒内より外部に突出している台座がスライドする。また石突側の中棒先端部と中栓の間にも開口する長孔が形成され、その間を下部容器支え部材がスライドする。中棒内には、傘の開け閉めにより上下にスライドするスライド軸、そして伸縮するスプリングを備える。石突側のスライド軸先端部は、下部容器支え部材と接続し、スライド軸の上昇・下降により、下部容器を上昇・下降させ、スライド軸他端部は、台座と接続し、下ロクロの昇降による傘の開け閉めによって、下ロクロと接触する台座が上下にスライドする。台座のスライドに伴いスライド軸が上昇・下降し、スライド軸と接続した下部容器支え部材を介して、下部容器も上昇・下降し、滴受け容器が、自動的に大型・小型になるようにしたことを特徴とする。【０００６】  下ロクロを上昇させ傘を開けば、下ロクロ先端部が上ハジキに受け止められている台座に当たり、台座後端部は下ロクロ上面に受け止められる。台座と接続したスライド軸は、台座が突起によって停止するまで、下ロクロに押されて上昇する。下ロクロは、下ロクロ後端部が上ハジキに受け止められて下降が阻止される。スライド軸の上昇に伴い、石突側のスライド軸先端部にあるスプリングも押されて収縮する。さらに下部容器支え部材を介して下部容器も上昇し、滴受け容器は小型となる。反対に下ロクロを下降させ傘を閉じれば、下ロクロによる台座ならびに台座と接続したスライド軸を石突側へと押す力が解除され、スライド軸先端部にあるスプリングが弾力により伸長するのに伴い、台座は上ハジキに受け止められ停止するまで下降し、台座と接続したスライド軸も下降する。スライド軸に引っ張られた下部容器支え部材が下降し、下部容器も下降して滴受け容器は大型となる。
【発明の効果】
【０００７】  本発明は、前述のように構成したことにより、効果は次の通りである。【０００８】  傘布に付着した滴は、傘を閉じ石突側を下にすると落下し、滴受け容器に捕集され、従来の滴による床や衣服の汚損防止のための、ビニール袋や脱水装置などを不要とする。【０００９】  さらに、下ロクロを上昇させ石突側を上にした開傘状態では、滴受け容器は常に傘の上方に位置し、滴受け容器としての役割を必要とせず、この場合安定性のある小型が好適であり、反対に石突側を下にした閉傘状態では、滴受け容器は常に傘の下方に位置し、落下する滴を充分捕集できる大型の滴受け容器が好適である。上記構成は、手を濡らすことなく、傘の開け閉めでこのことを可能にしたものである。【００１０】  また、滴受け容器を上部容器と下部容器の２個で構成し、下部容器を上昇・下降させ、閉傘時、そのスライド範囲を傘布にかかる位置までスライドさせることによって、滴を受ける容器の容量を大きくし、大雨で落下する多量の滴をも充分捕集することに好適であるものにした。
【発明を実施するための最良の形態】
【００１１】  別紙図面の図１〜図９を参照して、本発明に係る実施の形態について説明する。【００１２】  図１は、本発明の滴受けを設けた傘を示す正面図であり、図３は、図１のＸ−Ｘ線断面図である。この滴受けは、傘の石突１９側の中棒１３先端部に上部容器１、石突１９側のスライド軸９先端部に下部容器支え部材３を介して下部容器２が取り付けられ、この２個の容器により傘布２０に付着した滴を捕集する。中棒１３内に下ロクロ１０による傘の開け閉めに伴いスライドするスライド軸９と伸縮するスプリング１６を備えており、スライド軸９ならびにスプリング１６と接続した下部容器支え部材３を介して、下部容器２が上昇・下降する。【００１３】  上部容器１底面中央部には、筒状の取り付け部８ａが設けられ、取り付け部８ａ内周面のネジを、石突１９側の中棒１３先端部外周面のネジと接続固定する。また下部容器支え部材３中央部にも取り付け部８ｂを設け、取り付け部８ｂ内周面のネジを、中棒１３内にスライド可能に設けた石突１９側のスライド軸９先端部外周面のネジと接続固定する。【００１４】  下部容器２上面には、捕集された滴が外部に飛び散らないよう蓋Ｂが接着される。蓋Ｂは、底面外周面に周壁６が設けられ、中央と周壁６内周面に沿って底面に滴導入孔４があけられ、中央の滴導入孔４ａと周壁６内周面に沿ってあけられた滴導入孔４ｂを滴導入スリット５によって結んだ軟性のゴム材よりなる。上部容器１上面には、下部容器２との連結部から滴が漏出しないよう防水カバー７を接着する。【００１５】  滴受け容器Ａは、前記の如く取り付けられており、傘布２０に付着した滴は、傘を閉じ石突１９側を下にすると落下し、蓋Ｂの底面の滴導入孔４とスリット５を通って、滴受け容器Ａに捕集される。捕集された滴は、石突１９側を上にして閉傘状態で傘を横にするか石突１９側を上にして傘を開くことにより、外部に排出される。【００１６】  スライド軸９は、中棒１３内にスライド可能に設けられ、一端部は台座１２と接続し、他端部は下部容器支え部材３と接続されている。この台座１２は、中棒１３外周面に形成された長孔１５ａより外部に突出している。長孔１５は、突起１７と上ハジキ１４の間、石突１９側の中棒１３先端部と中栓１８の間の２ヶ所に開口しており、台座１２は、突起１７と上ハジキ１４の間に開口する長孔１５ａを、下ロクロ１０の上昇・下降に伴いスライドし、台座１２と接続したスライド軸９も上昇・下降する。【００１７】  スプリング１６は、中棒１３内に石突１９側の中棒１３先端部と上部容器支え部材３との間に取り付けられる。下ロクロ１０を上昇させると、下ロクロ１０先端部が台座１２を押して上昇させる。スライド軸９は、台座１２が突起１７により停止するまで上昇スライドし、石突１９側のスライド軸９先端部と接続した下部容器支え部材３も上昇し、スプリング１６を石突１９側に押して収縮させ、下部容器２も下部容器支え部材３を介して上昇する。下ロクロ１０を下降させると、下ロクロ１０による台座１２・スライド軸９・下部容器支え部材３そしてスプリング１６を石突１９側へと押す力が解除され、台座１２が上ハジキ１４に受け止められるまでスプリング１６が弾力により伸長し、それに伴いスライ���軸９がスライド下降し、スライド軸９に引っ張られた下部容器支え部材３を介して、下部容器２も下降する。【００１８】  中栓１８は、石突１９側の長孔１５ｂから滴が浸入しないよう、中棒１３内に設ける。【００１９】  中棒１３外周面に突出するハジキは、上ハジキ１４・下ハジキ（図示していない）を配設する。上ハジキ１４は、台座１２と下ロクロ１０の下降を阻止し、下ハジキは下ロクロ１０の上昇を阻止する。【００２０】  図１及び図３は、下ロクロ１０を下降させた閉傘状態である。下ロクロ１０を下降させ傘を閉じれば、下ロクロ１０による台座１２を石突１９側へと押す力が解除され、スプリング１６が弾力により伸長するのに伴い、台座１２は上ハジキ１４に受け止められ停止するまで下降し、台座１２と接続したスライド軸９も下降する。スライド軸９に引っ張られた下部容器支え部材３を介して、下部容器２が下降して滴受け容器Ａが大型となり、図８のように傘布２０に付着した滴を受ける滴受け容器Ａの容量が大きくなる。【００２１】  図２及び図４は、下ロクロ１０を上昇させた開傘状態である。下ロクロ１０を上昇させ傘を開けば、上ハジキ１４に受け止められている台座１２を下ロクロ１０先端部が押し、台座１２を突起１７によって停止するまで上昇させる。台座１２と接続したスライド軸９も上昇する。下ロクロ１０後端部は上ハジキ１４に受け止められ下降が阻止される。スライド軸９の上昇に伴い、スプリング１６が収縮する。スライド軸９と接続した下部容器支え部材３を介して下部容器２も上昇して、図９のように滴受け容器Ａが小型となる。【００２２】  図５は、滴受けを示す分解斜視図である。滴受けは、上部容器１・下部容器２の２個の容器からなる。上部容器１は石突１９側の中棒１３先端部と接続固定され、上部容器１上面には下部容器２との連結部から滴が漏出しないよう防水カバー７を接着する。下部容器２は下部容器支え部材３を介してスライド軸９と接続され、下ロクロ１０の昇降により上昇・下降し、滴受け容器Ａを大型・小型にする。蓋Ｂは、捕集された滴が外部に飛び散らないように下部容器２上面に接着され、底面外周面に周壁６、中央と周壁６内周面に沿って滴導入孔４を設け、中央の滴導入孔４ａと周壁６内周面に沿ってあけられた滴導入孔４ｂを滴導入スリット５によって結んだ軟性のゴ厶材よりなる。石突１９は、上部容器１底面外部に設ける。【００２３】  図６は、上部容器１と中棒１３との接続を示す説明図である。上部容器１底面中央部には、筒状の取り付け部８ａが設けられ、取り付け部８ａ内周面のネジを、石突１９側の中棒１３先端部外周面のネジと接続固定する。【００２４】  図７は、下部容器２とスライド軸９との接続を示す説明図である。下部容器支え部材３中央部に、スライド軸９との取り付け部８ｂを設け、取り付け部８ｂ内周面のネジを、石突１９側のスライド軸９先端部外周面のネジと接続固定する。下部容器２は、下部容器支え部材３を介してスライド軸９と接続される。【００２５】  図８は、傘を閉じた時の使用状態を示す斜視図である。【００２６】  図９は、傘を開けた時の使用状態を示す斜視図である。
【図面の簡単な説明】
【００２７】
【図１】本発明の傘布・傘骨を取り除いた閉傘状態を示す正面図である。
【図２】本発明の傘布・傘骨を取り除いた開傘状態を示す正面図である。
【図３】図１のＸ−Ｘ線断面図である。
【図４】図２のＹ−Ｙ線断面図である。
【図５】滴受けの分解斜視図である。
【図６】上部容器と中棒の接続を示す説明図である。
【図７】下部容器とスライド軸の接続を示す説明図である。
【図８】閉傘状態における滴受けを付けた傘の一部を断面とした斜視図である。
【図９】開傘状態における滴受けを付けた傘の斜視図である。
【符号の説明】
【００２８】    Ａ  滴受け容器
Ｂ  蓋
１  上部容器
２  下部容器
３  下部容器支え部材
４ａ  滴導入孔
４ｂ  滴導入孔
５  滴導入スリット
６  周壁
７  防水カバー
８ａ  取り付け部
８ｂ  取り付け部
９  スライド軸
１０  下ロクロ
１１  上ロクロ
１２  台座
１３  中棒
１４  上ハジキ
１５ａ  長孔
１５ｂ  長孔
１６  スプリング
１７  突起
１８  中栓
１９  石突
２０  傘布
【図１】
2006075542.tif 000003
【図２】
2006075542.tif 000004
【図３】
2006075542.tif 000005
【図４】
2006075542.tif 000006
【図５】
2006075542.tif 000007
【図６】
2006075542.tif 000008
【図７】
2006075542.tif 000009
【図８】
2006075542.tif 000010
【図９】
2006075542.tif 000011